【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
モバイルデバイスであって、
コンテキストセンサと、
プロセッサと
を備え、前記プロセッサが、
生体計測センサからのソフト生体計測入力および前記コンテキストセンサからのコンテキスト入力に基づいて、バックグラウンド認証プロセスを連続的に実施することであって、
前記生体計測センサからのソフト生体計測入力が、ユーザから暗黙的に受け取られる生体計測入力を含み、
前記生体計測センサが、スキャンが実行されていると前記ユーザに警告することなく、前記ユーザの1つまたは複数の物理的属性をスキャンするように構成される、実施することと、
前記ソフト生体計測入力に基づいて異常イベントを決定することと、
前記異常イベントに基づいて、前記異常イベントに基づいて決定された検証レベルを満たす、または超える前記ユーザからの明示的音声認証入力を含む離散的認証入力を要求することと、
前記離散的認証入力を使用して、前記ユーザを認証することと、
前記離散的認証入力が前記ユーザを認証することができないことに応答して、前記モバイルデバイスをロックすることと
を行うように構成される、モバイルデバイス。
【請求項２】
前記異常イベントが、前記モバイルデバイスに関して動きまたは入力がない時間期間、前記モバイルデバイスの疑わしい位置、または未知の生体計測入力のうちの少なくとも1つである、請求項1に記載のモバイルデバイス。
【請求項３】
前記コンテキストセンサからのコンテキスト入力が、位置、動き、またはユーザ入力データのうちの少なくとも1つを含む、請求項1に記載のモバイルデバイス。
【請求項４】
前記明示的音声認証入力が、指紋センサへの指紋入力、マイクロフォンへのあらかじめ定義された音声認証入力、またはカメラへの顔写真入力のうちの少なくとも1つを含む、請求項1に記載のモバイルデバイス。
【請求項５】
要求される前記離散的認証入力が、ランダムに選択される、請求項1に記載のモバイルデバイス。
【請求項６】
前記生体計測センサが、形状スキャンが実行されていると前記ユーザに警告することなく、前記モバイルデバイスのタッチスクリーンを使用している前記ユーザの1つまたは複数の指、手、またはその両方の形状スキャンを実行するように構成される、請求項1に記載のモバイルデバイス。
【請求項７】
生体計測センサからのソフト生体計測入力およびコンテキストセンサからのコンテキスト入力に基づいて、バックグラウンド認証プロセスをモバイルデバイスで連続的に実施するステップであって、
前記生体計測センサからのソフト生体計測入力が、ユーザから暗黙的に受け取られる生体計測入力を含み、
前記生体計測センサが、スキャンが実行されていると前記ユーザに警告することなく、前記ユーザの1つまたは複数の物理的属性をスキャンするように構成される、ステップと、
前記ソフト生体計測入力に基づいて異常イベントを決定するステップと、
前記異常イベントに基づいて、前記異常イベントに基づいて決定された検証レベルを満たす、または超える前記ユーザからの明示的音声認証入力を含む離散的認証入力を要求するステップと、
前記離散的認証入力を使用して、前記ユーザを認証するステップと、
前記離散的認証入力が前記ユーザを認証することができないことに応答して、前記モバイルデバイスをロックするステップと
を含む、方法。
【請求項８】
前記異常イベントが、前記モバイルデバイスに関して動きまたは入力がない時間期間、前記モバイルデバイスの疑わしい位置、または未知の生体計測入力のうちの少なくとも1つである、請求項7に記載の方法。
【請求項９】
前記コンテキストセンサからのコンテキスト入力が、位置、動き、またはユーザ入力データのうちの少なくとも1つを含む、請求項7に記載の方法。
【請求項１０】
前記明示的音声認証入力が、指紋センサへの指紋入力、マイクロフォンへのあらかじめ定義された音声認証入力、またはカメラへの顔写真入力のうちの少なくとも1つを含む、請求項7に記載の方法。
【請求項１１】
要求される前記離散的認証入力が、ランダムに選択される、請求項7に記載の方法。
【請求項１２】
コードを記憶した非一時的コンピュータ可読記録媒体であって、前記コードが、プロセッサによって実行されると、モバイルデバイスの前記プロセッサに、
生体計測センサからのソフト生体計測入力およびコンテキストセンサからのコンテキスト入力に基づいて、バックグラウンド認証プロセスを連続的に実施することであって、
前記生体計測センサからのソフト生体計測入力が、ユーザから暗黙的に受け取られる生体計測入力を含み、
前記生体計測センサが、スキャンが実行されていると前記ユーザに警告することなく、前記ユーザの1つまたは複数の物理的属性をスキャンするように構成される、実施することと、
前記ソフト生体計測入力に基づいて異常イベントを決定することと、
前記異常イベントに基づいて、前記異常イベントに基づいて決定された検証レベルを満たす、または超える前記ユーザからの明示的音声認証入力を含む離散的認証入力を要求することと、
前記離散的認証入力を使用して、前記ユーザを認証することと、
前記離散的認証入力が前記ユーザを認証することができないことに応答して、前記モバイルデバイスをロックすることと
を行わせる、コンピュータ可読記録媒体。
【請求項１３】
前記異常イベントが、前記モバイルデバイスに関して動きまたは入力がない時間期間、前記モバイルデバイスの疑わしい位置、または未知の生体計測入力のうちの少なくとも1つである、請求項12に記載のコンピュータ可読記録媒体。
【請求項１４】
前記コンテキストセンサからのコンテキスト入力が、位置、動き、またはユーザ入力データのうちの少なくとも1つを含む、請求項12に記載のコンピュータ可読記録媒体。
【請求項１５】
前記明示的音声認証入力が、指紋センサへの指紋入力、マイクロフォンへのあらかじめ定義された音声認証入力、またはカメラへの顔写真入力のうちの少なくとも1つを含む、請求項12に記載のコンピュータ可読記録媒体。
【請求項１６】
要求される前記離散的認証入力をランダムに選択する
ことを行わせるコードをさらに含む、請求項12に記載のコンピュータ可読記録媒体。
【請求項１７】
モバイルデバイスであって、
生体計測センサからのソフト生体計測入力およびコンテキストセンサからのコンテキスト入力に基づいて、バックグラウンド認証プロセスを連続的に実施するための手段であって、
前記生体計測センサからのソフト生体計測入力が、ユーザから暗黙的に受け取られる生体計測入力を含み、
前記生体計測センサが、スキャンが実行されていると前記ユーザに警告することなく、前記ユーザの1つまたは複数の物理的属性をスキャンするように構成される、手段と、
前記ソフト生体計測入力に基づいて異常イベントを決定するための手段と、
前記異常イベントに基づいて、前記ユーザからの明示的音声認証入力を含む離散的認証入力を要求するための手段であって、要求される前記離散的認証入力が、前記異常イベントに基づいて決定された検証レベルを満たす、または超える、手段と、
前記離散的認証入力を使用して、前記ユーザを認証するための手段と、
前記離散的認証入力が前記ユーザを認証することができないことに応答して、前記モバイルデバイスをロックするための手段と
を備える、モバイルデバイス。
【請求項１８】
前記異常イベントが、前記モバイルデバイスに関して動きまたは入力がない時間期間、前記モバイルデバイスの疑わしい位置、または未知の生体計測入力のうちの少なくとも1つである、請求項17に記載のモバイルデバイス。
【請求項１９】
前記コンテキストセンサからのコンテキスト入力が、位置、動き、またはユーザ入力データのうちの少なくとも1つを含む、請求項17に記載のモバイルデバイス。
【請求項２０】
前記明示的音声認証入力が、指紋センサへの指紋入力、マイクロフォンへのあらかじめ定義された音声認証入力、またはカメラへの顔写真入力のうちの少なくとも1つを含む、請求項17に記載のモバイルデバイス。